(57)【要約】  【課題】缶飲料などの商品を冷却して販売する自動販売機に関し、蒸発器ファンにより吹き出された冷却空気をシール部やシール部材に直接当てないことにより、消費電力量を低減できる自動販売機を提供することを目的とする。  【解決手段】断熱箱体４の貯蔵室１周縁に設けた凸部２５と内扉２８とによりスロート２９を形成することにより、蒸発器ファン１３により吹き出された冷却空気がシール部および第一のシール部材３０に直接当たるのを防止することができるので、シール部および第一のシール部材３０の伝熱により貯蔵室１内の冷熱が庫外へ放熱されることを抑制し、消費電力量を低減することができる。【選択図】図１
2008040729.tif 000002
【特許請求の範囲】
【請求項１】
外箱と内箱との間に断熱材を介在させて構成されると共に商品を収納する貯蔵室と冷却システムを構成する部品を設置する機械室に区分された断熱箱体と、前記断熱箱体にヒンジにより回動可能に軸支された断熱扉とからなる自動販売機において、前記断熱扉を閉じた際に、前記貯蔵室の開口部周縁と前記断熱扉とが当接する部分にシール部材を設け、前記貯蔵室をシールすると共に、前記シール部材の前記貯蔵室側に断熱材で構成されたスロートを設けた自動販売機。
【請求項２】
スロートが断熱箱体と断熱扉で形成された請求項１に記載の自動販売機。
【請求項３】
シール部材を保護するカバーを庫外側に設けた請求項１または２に記載の自動販売機。
【請求項４】
スロートの貯蔵室側に第二のシール部材を設けた請求項１から３のいずれか一項に記載の自動販売機。
【請求項５】
断熱箱体が、金属製の外箱と、金属製の内箱で形成されると共に、樹脂材料で形成された連結部材により、スロート部で前記外箱と前記内箱を連結した請求項１から４のいずれか一項に記載の自動販売機。
【請求項６】
スロート部の間隔を５ｍｍ以上２０ｍｍ以下とし、スロート部の奥行き寸法を３５ｍｍ以上５０ｍｍ以下とした請求項１から５のいずれか一項に記載の自動販売機。
【発明の詳細な説明】
【技術分野】
【０００１】
本発明は、缶飲料などの商品を冷却して販売する自動販売機において、省エネに関わる断熱箱体および断熱扉の構造に関するものである。
【背景技術】
【０００２】
近年、環境保護が叫ばれる中、自動販売機業界においてもトップランナー制の導入に伴い、省エネルギー化が進んでいる。
【０００３】
従来の自動販売機としては、以下に示す例がある（例えば、特許文献１参照）。
【０００４】
図４は、特許文献１に記載された従来の自動販売機の横から見た断面概略図である。
【０００５】
図５は、同文献１に記載された従来の自動販売機の上から見た断面概略図である。
【０００６】
図４および図５に示すように、従来の自動販売機は、商品を収納する貯蔵室１と冷却システム２を構成する部品を設置する機械室３に区分された断熱箱体４と、断熱扉５と、貯蔵室１の開口部周縁に設けられたシール部材６と、冷却システム２とから構成されている。
【０００７】
また、断熱扉５は、断熱箱体４にヒンジ７により回動自在に軸支されると共に、断熱箱体４と断熱扉５のシール部は、外部から断熱扉５が抉じ開けられないように、保護カバー８で覆われている。
【０００８】
冷却システム２は、圧縮機９と、凝縮器１０と、蒸発器１１と、凝縮器ファン１２と、蒸発器ファン１３と、図示しない減圧手段とからなる。
【０００９】
さらに、貯蔵室１には商品収納棚１４が設置され、商品収納棚１４の裏面と貯蔵室１の背壁との間に上端に吸込み口を開口するダクト１５を設け、ダクト１５の下端は貯蔵室１の下部に設けた蒸発器９と蒸発器ファン１１に連通している。
【００１０】
以上のように構成された自動販売機について、以下その動作を説明する。
【００１１】
圧縮機９から吐出された冷媒は、凝縮器１０で凝縮した後、減圧手段により減圧され、蒸発器１１に流入する。そして、蒸発器ファン１３によりダクト１５を経由して蒸発器１１へ導かれた貯蔵室１内の空気と熱交換して蒸発し、再び圧縮機９へ還流する。
【００１２】
ここで、蒸発器１１で熱交換し、冷却された空気は、蒸発器ファン１３により、再び貯蔵１に吹き出され循環する。この冷却された空気により、商品収納棚１４に収納された飲料商品が冷却されることとなる。
【００１３】
そして、断熱扉５を全閉した時に断熱扉５と貯蔵室１の開口部周縁とをシール部材６でシールすることにより、貯蔵室１と庫外を仕切っている。
【特許文献１】実開昭６３−１２６９８９号公報
【発明の開示】
【発明が解決しようとする課題】
【００１４】
しかしながら、上記従来の構成では、蒸発器ファン１３により吹き出された冷却空気は、貯蔵室１と断熱扉５のシール部およびシール部材６に直接当たり、シール部およびシール部材６を冷却する。シール部やシール部材６が冷却されると、シール部やシール部材６の伝熱により庫内の冷熱が庫外へ放熱されるため、熱ロスとなり消費電力量が増加するおそれがあった。
【００１５】
本発明は、上記従来の課題を解決するもので、蒸発器ファンにより吹き出された冷却空気をシール部やシール部材に直接当てないことにより、消費電力量を低減できる自動販売機を提供することを目的とする。
【課題を解決するための手段】
【００１６】
上記従来の課題を解決するために、本発明の自動販売機は、断熱扉を全閉した際に、断熱箱体の貯蔵室開口部周縁と断熱扉が当接する部分に設けたシール部材により、貯蔵室をシールすると共に、シール部材の貯蔵室側に断熱材で構成されたスロートを設けたものである。
【００１７】
これによって、蒸発器ファンにより吹き出された冷却空気がシール部およびシール部材に直接当たることを防止することができる。
【発明の効果】
【００１８】
本発明の自動販売機は、スロートを設けて、貯蔵室と庫外を効果的にシールすることにより、熱ロスを低減し、消費電力量を低減することができる。
【発明を実施するための最良の形態】
【００１９】
請求項１に記載の発明は、外箱と内箱との間に断熱材を介在させて構成されると共に商品を収納する貯蔵室と冷却システムを構成する部品を設置する機械室に区分された断熱箱体と、前記断熱箱体にヒンジにより回動可能に軸支された断熱扉とからなる自動販売機において、前記断熱扉を閉じた際に、前記貯蔵室の開口部周縁と前記断熱扉とが当接する部分にシール部材を設け、前記貯蔵室をシールすると共に、前記シール部材の前記貯蔵室側に断熱材で構成されたスロートを設けたことにより、蒸発器ファンにより吹き出された冷却空気を直接シール部およびシール部材に当てることを防止し、シール部及びシール部材の伝熱により貯蔵室内の冷熱が庫外へ放熱されるのを抑制することができるので、消費電力量を低減することができる。
【００２０】
請求項２に記載の発明は、請求項１に記載の発明において、スロートが断熱箱体と断熱扉で形成されたことにより、新たに部品を追加することなく形状の変更で対応が可能となるので、簡便にスロートを形成することができる。
【００２１】
請求項３に記載の発明は、請求項１または２に記載の発明において、シール部材を保護するカバーを庫外側に設けたことにより、断熱扉が抉じ開けられ、商品や金銭が盗難にあうのを防止することができる。
【００２２】
請求項４に記載の発明は、請求項１から３のいずれか一項に記載の発明において、スロートの貯蔵室側に第二のシール部材を設けたことにより、断熱扉を全閉した際にスロートをシールし、断熱空気層を形成することができるので、貯蔵室と庫外との断熱性能を向上することができるので、消費電力量をさらに低減することができる。
【００２３】
請求項５に記載の発明は、請求項１から４のいずれか一項に記載の発明において、断熱箱体が、金属製の外箱と、金属製の内箱で形成されると共に、樹脂材料で形成された連結部材により、スロート部で前記外箱と前記内箱を連結したことにより、断熱箱体の開口部近傍を金属よりも熱伝導率の低い樹脂材料で形成しているので、庫内からの冷熱が外箱の伝熱により放熱されるのを抑制できるので、さらに消費電力量の低減が図れる。
【００２４】
請求項６に記載の発明は、請求項１から５のいずれか一項に記載の発明において、スロートの間隔を５ｍｍ以上２０ｍｍ以下とし、スロートの奥行きを３５ｍｍ以上５０ｍｍ以下としたことにより、スロートの効果を十分に得ることができるので、消費電力量を効果的に低減することができる。
【００２５】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２６】
（実施の形態１）
図１は、本発明の実施の形態１における自動販売機を横から見た断面概略図である。
【００２７】
図２は、同実施の形態における自動販売機を上から見た断面概略図である。
【００２８】
図３は、同実施の形態における自動販売機のスロート部の拡大図である。
【００２９】
図１から図３において、断熱箱体４は金属製の外箱２１と金属製の内箱２２とで箱体断熱材２３を挟み込むように構成されている。さらに、貯蔵室１開口部周縁に設けた箱体平面部２４から断熱扉５に向かって突出する凸部２５とを備えており、凸部２５の内側で、樹脂製の連結部材２６により、外箱２１と内箱２２とを連結している。
【００３０】
また、断熱扉５は外扉２７と、断熱材からなる内扉２８とで構成されている。そして、断熱扉５は、断熱箱体４にヒンジ７により回動自在に軸支されている。さらに、内扉２８は、外扉２７に図示しないヒンジにより回動自在に軸支されている。
【００３１】
断熱扉５が全閉されると、内扉２８が凸部２５の貯蔵室１側に挿入され、内扉２８と凸部２５が対向することにより５ｍｍ以上２０ｍｍ以下の間隔Ａでスロート２９が形成される。
【００３２】
ここで、凸部２５の高さは、スロート２９の奥行きＢが３５ｍｍ以上５０ｍｍ以下となるように形成されている。
【００３３】
また、凸部２５の先端と内扉２８の周縁には、それぞれ第一のシール部材３０と第二のシール部材３１が設けられ、それぞれ外扉２７と箱体平面部２４が前後方向で当接することでシールする。
【００３４】
なお、本実施の形態においては、第一のシール部材３０を凸部２５の先端に設けたが、外扉２７の周縁に設けても同様の効果が得られ、第二のシール部材３１についても同様に、内扉２８の周縁ではなく箱体平面部２４に設けても同様の効果が得られる。
【００３５】
また、本実施の形態においては、凸部２５が貯蔵室１の開口部周縁の庫外側に位置するように設けたが、貯蔵室１側に位置するように設けても良く、さらには、断熱箱体４側に凹部を設けて断熱扉５側に凸部を設けても良いが、内扉２８の形状簡便化の観点から本実施の形態の構成が良い。
【００３６】
さらに、第一のシール部材３０の外側には、保護カバー８が設けられている。
【００３７】
以上のように構成された自動販売機について、以下その動作、作用を説明する。
【００３８】
自動販売機運転中は、蒸発器ファン１３により蒸発器１１で冷却された空気が貯蔵室１内に吹き出され循環する。
【００３９】
このとき、第二のシール部材３１およびスロート２９により、第一のシール部材３０および凸部２５と外扉２７とのシール部に直接冷却空気が当たり、冷却されることはない。
【００４０】
また、第一のシール部材３０と第二のシール部材３１とにより、スロート２９が密閉空間となり、断熱空気層を形成するため、貯蔵室１と庫外とを効果的に断熱することができる。
【００４１】
さらに、金属よりも熱伝導率の低い樹脂材料で形成された連結部材２５により金属製の外箱２１と内箱２２とを連結したことにより、庫内の冷熱が外箱２１の伝熱により庫外へ放熱されることを低減できる。
【００４２】
また、凸部２５と内扉２８との間隔Ａを５ｍｍ以上２０ｍｍ以下、スロート２９の奥行きＢを３５ｍｍ以上５０ｍｍ以下としたことにより、断熱効果を十分に発揮できると共に、ヒンジ７によって断熱扉５が回動しても凸部２５と接触することがない。
【００４３】
以上のように、本実施の形態においては、貯蔵室１開口部周縁に設けた箱体平面部２４から断熱扉５に向かって突出する凸部２５と内扉２８とによりスロート２９を形成すると共に、凸部２５の先端に設けた第一のシール部材３０により凸部２５と外扉２７とが当接する部分をシールしたことで、蒸発器ファン１３により吹き出された冷却空気により第一のシール部材３０およびシール部が直接冷やされるのを防止することができるので、第一のシール部材３０およびシール部の伝熱により、貯蔵室１内の冷熱が庫外へ放熱されるのを抑制することができるので、消費電力量を低減することができる。
【００４４】
また、断熱扉５を全閉した際に、第一のシール部材３０と第二のシール部材３１とによりスロート２９を断熱空気層として密閉することにより、貯蔵室１と庫外とを効果的に断熱することができるので、さらに消費電力量を低減することができる。
【００４５】
さらに、金属製の外箱２１と金属製の内箱２２とを、金属よりも熱伝導率の低い樹脂製の連結部材２６により、凸部２５の内側で連結したことにより、貯蔵室１内の冷熱が外箱２１の伝熱により庫外へ放熱されるのを抑制することができるので、より大きな省エネ効果が得られる。
【００４６】
また、凸部２５と内扉２８との間隔Ａを５ｍｍ以上２０ｍｍ以下、スロート２９の奥行きＢを３５ｍｍ以上５０ｍｍ以下としたことにより、断熱効果を十分に発揮することができると共に、凸部２５と内扉２８との干渉を防止することができる。
【００４７】
また、第一のシール部材３０の庫外側に保護カバー８を設けたことにより、断熱扉５が抉じ開けられ、商品や金銭が盗難にあうことを防止することができる。
【産業上の利用可能性】
【００４８】
以上のように、本発明にかかる自動販売機は、スロートを形成し、貯蔵室と庫外との断熱性能を向上させたので、庫内を暖める温蔵庫など、外気温と異なる温度帯に設定された恒温空間を有する機器の用途にも適用できる。
【図面の簡単な説明】
【００４９】
【図１】本発明の実施の形態１における自動販売機を横から見た断面概略図
【図２】同実施の形態における自動販売機を上から見た断面概略図
【図３】同実施の形態における自動販売機のスロート部の拡大図
【図４】従来の自動販売機の横から見た断面概略図
【図５】従来の自動販売機の上から見た断面概略図
【符号の説明】
【００５０】
１    貯蔵室
２    冷却システム
３    機械室
４    断熱箱体
５    断熱扉
７    ヒンジ
８    保護カバー
２１  外箱
２２  内箱
２３  箱体断熱材
２４  箱体平面部
２５  凸部
２６  連結部材
２７  外扉
２８  内扉
２９  スロート
３０  第一のシール部材
３１  第二のシール部材
【図１】
2008040729.tif 000003
【図２】
2008040729.tif 000004
【図３】
2008040729.tif 000005
【図４】
2008040729.tif 000006
【図５】
2008040729.tif 000007